(57)【要約】【課題】  ＥＧＲ弁の閉弁時及び開弁時の双方においてＥＧＲ弁を含むＥＧＲシステムの挙動に正確に連動して高精度で以ってＥＧＲガス温度を検出可能として、ＥＧＲシステムの故障を正確かつ迅速に検知し得るＥＧＲシステムを備えたエンジンを提供する。【解決手段】  エンジンのＥＧＲガスを、ＥＧＲ弁によって開閉されるＥＧＲ通路を通して吸気通路に還流するＥＧＲシステムを備えたエンジンにおいて、前記ＥＧＲ通路の吸気通路との合流部の近傍にＥＧＲガスの温度を検出するＥＧＲガス温度センサを設けるとともに、前記吸気通路における吸気温度を検出する吸気温度センサを設け、ＥＧＲガス温度の検出値と吸気温度の検出値との温度差に基づきＥＧＲシステムの故障の有無を診断するＥＧＲ故障診断装置を備えたことを特徴とする。【選択図】  図２
2005291056.tif 000002
【特許請求の範囲】
【請求項１】
エンジンの排気ガスの一部で構成されるＥＧＲガスを、ＥＧＲ弁によって開閉されるＥＧＲ通路を通して吸気通路に還流するＥＧＲ（排気ガス再循環）システムを備えたエンジンにおいて、前記ＥＧＲ通路の前記吸気通路との合流部の近傍に前記ＥＧＲガスの温度を検出するＥＧＲガス温度センサを設けるとともに、前記吸気通路における吸気の温度を検出する吸気温度センサを設け、さらに、該ＥＧＲガス温度センサから入力されるＥＧＲガス温度の検出値と前記吸気温度センサから入力される吸気温度の検出値との温度差に基づき前記ＥＧＲ弁を含むＥＧＲシステムの故障の有無を診断するＥＧＲ故障診断装置を備えたことを特徴とする故障診断装置付きＥＧＲシステムを備えたエンジン。
【請求項２】
前記ＥＧＲ故障診断装置は、前記ＥＧＲ弁の閉弁時にはＥＧＲガス温度の検出値と前記吸気温度の検出値との温度差が予め設定された目標温度差よりも大きくなったとき、あるいは前記ＥＧＲ弁の開弁時にはＥＧＲガス温度の検出値と前記吸気温度の検出値との温度差が目標温度差よりも小さくなったときに前記ＥＧＲシステムの故障を判定するように構成されてなることを特徴とする請求項１記載の故障診断装置付きＥＧＲシステムを備えたエンジン。
【請求項３】
前記ＥＧＲガス温度センサを、前記合流部の近傍における吸気流下流側の部位に設けたことを特徴とする請求項１記載の故障診断装置付きＥＧＲシステムを備えたエンジン。
【請求項４】
前記ＥＧＲガス温度センサを、前記合流部の近傍における吸気流下流側の部位を含む２箇所に設けたことを特徴とする請求項１記載の故障診断装置付きＥＧＲシステムを備えたエンジン。
【請求項５】
前記ＥＧＲ故障診断装置に、該ＥＧＲ故障診断装置における前記ＥＧＲシステムの故障判定結果を表示する表示装置を接続したことを特徴とする請求項１記載の故障診断装置付きＥＧＲシステムを備えたエンジン。
【発明の詳細な説明】
【技術分野】
【０００１】
本発明は、車両用、産業用等のＥＧＲ（排気ガス再循環）システムを備えたエンジンに適用され、ＥＧＲガス温度の検出値を用いてＥＧＲシステムの故障の有無を診断するＥＧＲ故障診断装置付きＥＧＲシステムを備えたエンジンに関する。
【背景技術】
【０００２】
エンジンの排気ガスの一部で構成されるＥＧＲガスを、ＥＧＲ弁によって開閉されるＥＧＲ通路を通して吸気通路に還流するＥＧＲ（排気ガス再循環）システムを備えたエンジンにおいては、前記ＥＧＲ弁の作動不良や破損等のＥＧＲシステムにおける故障の発生を検知して、迅速な対処を行うための手段として、例えば特許文献１（特開２０００−３４９５４号公報）に開示されているように、ＥＧＲ通路におけるＥＧＲ弁下流側（吸気通路側）のＥＧＲガス温度を検出して、該ＥＧＲガス温度の検出値がＥＧＲシステムにおける故障判定条件にあるか否かで、ＥＧＲシステムの故障の有無を判断する技術が提案されている。
【０００３】
前記特許文献１の技術においては、ＥＧＲ通路のＥＧＲ弁の下流側（吸気通路側）にＥＧＲガス温度を検出するＥＧＲガス温度センサを設置し、該ＥＧＲガス温度センサからのＥＧＲガス温度の検出値をＥＧＲ故障診断を行うコントローラに入力し、該コントローラにおいて予めＥＧＲ弁の故障判定の基準値としてＥＧＲ弁開時の最低温度を設定し、ＥＧＲ弁の開弁信号が出されている時に、ＥＧＲガス温度の検出値が前記最低温度よりも低い状態が一定時間以上続いたら、ＥＧＲ弁が閉弁状態でスティックしているものと判断するように構成されている。
【０００４】
【特許文献１】特開２０００−３４９５４号公報
【発明の開示】
【発明が解決しようとする課題】
【０００５】
前記特許文献１の技術にあっては、ＥＧＲガス温度を検出するＥＧＲガス温度センサは、ＥＧＲ通路のＥＧＲ弁の下流側（吸気通路側）に設置してはいるが、設置場所は特定されていないため、ＥＧＲ弁に近い位置等、設置場所によってはＥＧＲ弁の閉弁時におけるＥＧＲガス温度の低下あるいはＥＧＲ弁の開弁時におけるＥＧＲガス温度の上昇の検出量が小さくなって、かかる小さな温度検出量では、ＥＧＲ弁の挙動を正確に検知してＥＧＲシステムの故障を正確かつ迅速に検知するのが困難となる。
【０００６】
また、かかる従来技術にあっては、ＥＧＲ弁の開弁信号が出されている時に、ＥＧＲガス温度の検出値が、予め設定されたＥＧＲ弁開時の前記最低温度よりも低い状態が一定時間以上続いたときＥＧＲ弁に故障を判断しているにとどまり、つまりＥＧＲ弁の開弁時においてＥＧＲ弁の故障診断をしているにとどまり、ＥＧＲ弁が閉弁した後におけるＥＧＲガス温度の変化を用いてＥＧＲ弁を含むＥＧＲシステムの故障診断を行うようになってはいない。
【０００７】
従って、本発明はかかる従来技術の課題に鑑み、ＥＧＲ弁の閉弁時及び開弁時の双方においてＥＧＲ弁を含むＥＧＲシステムの挙動に正確に連動して、高精度で以ってＥＧＲガス温度を検出可能として、ＥＧＲシステムの故障を正確かつ迅速に検知し得るＥＧＲシステムを備えたエンジンを提供することを目的とする。
【課題を解決するための手段】
【０００８】
本発明はかかる目的を達成するもので、エンジンの排気ガスの一部で構成されるＥＧＲガスを、ＥＧＲ弁によって開閉されるＥＧＲ通路を通して吸気通路に還流するＥＧＲ（排気ガス再循環）システムを備えたエンジンにおいて、前記ＥＧＲ通路の前記吸気通路との合流部の近傍に前記ＥＧＲガスの温度を検出するＥＧＲガス温度センサを設けるとともに、前記吸気通路における吸気の温度を検出する吸気温度センサを設け、さらに、該ＥＧＲガス温度センサから入力されるＥＧＲガス温度の検出値と前記吸気温度センサから入力される吸気温度の検出値との温度差に基づき前記ＥＧＲ弁を含むＥＧＲシステムの故障の有無を診断するＥＧＲ故障診断装置を備えたことを特徴とする。
【０００９】
ＥＧＲシステムを備えたエンジンにおいて、ＥＧＲシステムの故障、特にＥＧＲ弁の故障を正確に検知する手段としては、前記特許文献１のように、ＥＧＲ通路におけるＥＧＲガス温度の変化を検出する手段が多く用いられているが、ＥＧＲシステムの故障を迅速かつ正確に検知するには、かかる手段のみでは十分ではない。
【００１０】
そこでかかる発明においては、ＥＧＲガスの温度を検出するＥＧＲガス温度センサを、ＥＧＲ通路の吸気通路との合流部の近傍に設置するとともに、前記吸気通路に吸気の温度を検出する吸気温度センサを設置し、該ＥＧＲガス温度の検出値と吸気温度の検出値との温度差を用いてかかる課題を解決している。
即ち、かかる発明によれば、ＥＧＲ弁の閉弁により、ＥＧＲ通路における該ＥＧＲ弁の下流側つまり該ＥＧＲ弁とＥＧＲ通路の吸気通路への合流部との間におけるＥＧＲガスの温度が低下する過程で、前記合流部近傍のＥＧＲ通路内におけるＥＧＲガスが吸気通路を流れる低温の吸気によって冷却されることから、該合流部近傍のＥＧＲ通路の温度低下量が大きくなり、かかる部位にＥＧＲガス温度センサを設置してＥＧＲガス温度を検出し、このＥＧＲガス温度の検出値を用いることにより、ＥＧＲ弁の挙動に正確に追従したＥＧＲガス温度を検出できる。
そして、ＥＧＲ故障診断装置において、前記のようにＥＧＲ弁の挙動に正確に追従したＥＧＲガス温度の検出値と吸気温度の検出値との温度差を用いてＥＧＲシステムの故障の有無を判定するので、吸気温度の変動があっても、これの影響を受けることなくＥＧＲガス温度の変動のみを明確に検出可能となって、かかる温度差を用いて、ＥＧＲ弁を含むＥＧＲシステムの故障の有無を診断することにより、ＥＧＲシステムの故障を正確かつ迅速に検知することができる。
【００１１】
従ってかかる発明によれば、吸気の冷却によって、ＥＧＲ通路の温度低下量及び温度低下速度がＥＧＲ弁寄りの部位よりも大きくなる吸気通路との合流部近傍のＥＧＲ通路におけるＥＧＲガス温度の検出値と吸気温度の検出値との温度差を用いてＥＧＲ弁を含むＥＧＲシステムの故障の有無を診断するので、ＥＧＲ弁の挙動に正確に追従したＥＧＲガス温度を用いることができるとともに、吸気温度の変動の影響を受けることなく、ＥＧＲ弁を含むＥＧＲシステムの故障の有無を診断することが可能となって、ＥＧＲシステムの故障を正確かつ迅速に検知することができる。
さらに、かかる発明によれば、ＥＧＲ弁の開弁時においても、ＥＧＲガス温度の検出値と吸気温度の検出値との温度差を用いて、ＥＧＲ弁の開弁による温度上昇が少なく前記温度差が予め設定された前記温度差の目標値よりも小さくなっているとき、前記ＥＧＲシステムの故障を判定することもできる。
よってかかる発明によれば、ＥＧＲ弁の閉弁時及び開弁時の双方において、ＥＧＲシステムの故障を迅速かつ正確に検知することが可能となる。
【００１２】
かかる発明において好ましくは、ＥＧＲ故障診断装置は、前記ＥＧＲ弁の閉弁時にはＥＧＲガス温度の検出値と前記吸気温度の検出値との温度差が予め設定された目標温度差よりも大きくなったとき、あるいは前記ＥＧＲ弁の開弁時にはＥＧＲガス温度の検出値と前記吸気温度の検出値との温度差が目標温度差よりも小さくなったときに前記ＥＧＲシステムの故障を判定するように構成されてなる。
このように構成すれば、ＥＧＲ故障診断装置において、ＥＧＲシステムの故障時におけるＥＧＲガス温度と吸気温度と温度差の基準値（目標値）を予め設定しておき、常時、前記のように高い検出精度及び検出速度で検出されたＥＧＲガス温度と吸気温度との温度差の検出値と前記温度差の基準値とを比較してＥＧＲシステムの故障判定を行うので、ＥＧＲシステムの故障を正確に検知することができる。
【００１３】
また、かかる発明において好ましくは、前記ＥＧＲガス温度センサを、前記合流部の近傍における吸気流下流側の部位に設ける。
このように構成すれば、吸気の冷却によってＥＧＲ通路の温度低下量及び温度低下速度が最も大きくなる、ＥＧＲ通路の吸気通路との合流部の吸気流下流側の部位にＥＧＲガス温度センサを設置したので、ＥＧＲシステムの故障によるＥＧＲガス温度と吸気温度との温度差の変化の検出精度及び検出速度を、より上げることができる。
【００１４】
また、かかる発明において好ましくは、前記ＥＧＲガス温度センサを、前記合流部の近傍における吸気流下流側の部位を含む２箇所に設ける。
このように構成すれば、一方側のＥＧＲガス温度センサが故障した場合でも、前記合流部の近傍設置した他のＥＧＲガス温度センサで、故障したＥＧＲガス温度センサと同程度の検出精度及び検出速度で以ってＥＧＲシステムの故障検知を補完できる。
【００１５】
また、かかる発明において好ましくは、前記ＥＧＲ故障診断装置に、該ＥＧＲ故障診断装置における前記ＥＧＲシステムの故障判定結果を表示する表示装置を接続する。
このように構成すれば、ＥＧＲ故障診断装置の判定によるＥＧＲシステムの故障の有無を、時々刻々表示装置に表示することにより、作業者は迅速にＥＧＲシステムの故障を検知して対策を行うことができる。
【発明の効果】
【００１６】
本発明によれば、吸気の冷却によって、ＥＧＲ通路の温度低下量及び温度低下速度がＥＧＲ弁寄りの部位よりも大きくなる吸気通路との合流部近傍のＥＧＲ通路におけるＥＧＲガス温度の検出値と吸気温度の検出値との温度差を用いてＥＧＲ弁を含むＥＧＲシステムの故障の有無を診断するので、ＥＧＲ弁の挙動に正確に追従したＥＧＲガス温度を用いることができるとともに、吸気温度の変動の影響を受けることなく、ＥＧＲ弁を含むＥＧＲシステムの故障の有無を診断することが可能となって、ＥＧＲシステムの故障を正確かつ迅速に検知することができる。
【００１７】
さらに、本発明によれば、ＥＧＲ弁の開弁時においても、ＥＧＲガス温度の検出値と吸気温度の検出値との温度差を用いて、該温度差が予め設定された前記温度差の目標値よりも小さくなっているとき、前記ＥＧＲシステムの故障を判定することもできる。
よって本発明によれば、ＥＧＲ弁の閉弁時及び開弁時の双方において、ＥＧＲシステムの故障を迅速かつ正確に検知することが可能となる。
【発明を実施するための最良の形態】
【００１８】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は本発明の実施例に係る故障診断装置付きＥＧＲシステムを備えたエンジンの全体構成図、図２は制御ブロック図、図３はＥＧＲシステムの故障診断作用説明用の線図である。
【００１９】
実施例を示す図１（Ａ）において、１００はエンジン、１０５は該エンジン１００の吸気通路、１０４は排気通路である。１０２は前記排気通路１０４の途中から分岐されて前記吸気通路１０５に接続されるＥＧＲ通路で、前記排気通路１０４を通流する排気ガスの一部で構成されるＥＧＲガスを前記吸気通路１０５へ還流する。１０６は該ＥＧＲ通路１０２の前記吸気通路１０５への合流部を示す。
前記ＥＧＲ通路１０２には、上流側（排気通路１０４側）から順に、該ＥＧＲ通路１０２に導入された前記ＥＧＲガスを冷却するＥＧＲクーラ１０３及び該ＥＧＲ通路１０２を開閉するＥＧＲ弁１０１が配設されている。前記ＥＧＲ弁１０１は、前記ＥＧＲガスの流量を調整する機能も備えている。
【００２０】
１は前記ＥＧＲ通路１０２に設置された下流側温度センサで、前記ＥＧＲ通路１０２の吸気通路１０５との合流部１０６の近傍つまり該合流部１０６の直上流部位に設置されてＥＧＲガスの温度を検出するものである。該下流側温度センサ１は、図１（Ｂ）に示すように、前記合流部１０６の近傍における吸気流（矢印）の下流側の部位に設置されている。
２は前記ＥＧＲ通路１０２に設置された上流側温度センサで、前記ＥＧＲ通路１０２の吸気通路１０５との合流部１０６の近傍に設置されてＥＧＲガスの温度を検出するものである。該上流側温度センサ２は、図１（Ｂ）に示すように、前記合流部１０６の近傍における前記下流側温度センサ１と同一断面位置に、該下流側温度センサ１に対して円周方向に所定角度（この例では９０°）ずらして設けられている。尚、該上流側温度センサ２は必要に応じて省略することもできる。
６は前記吸気通路１０５に取り付けられて吸気温度を検出する吸気温度センサである。
３は前記エンジン１００の回転数（エンジン回転数）を検出する回転検出器、４は前記ＥＧＲ弁１０１の開閉タイミング（ＥＧＲ弁１０１の開弁、閉弁の時間変化）を検出するＥＧＲ弁開度センサである。また、７はアクセル開度検出器である。
【００２１】
１０はＥＧＲ故障診断装置で、前記下流側温度センサ１及び上流側温度センサ２からＥＧＲガス温度の検出値が、前記吸気温度センサ６から吸気温度の検出値がそれぞれ入力されるとともに、前記ＥＧＲ弁開度センサ４からＥＧＲ弁１０１の開閉タイミングの検出値が入力され、さらに前記回転検出器３からエンジン回転数の検出値が入力され、アクセル開度検出器７からアクセル開度の検出値が入力され、前記ＥＧＲガス温度、吸気温度、ＥＧＲ弁１０１の開閉タイミング、エンジン回転数及びアクセル開度等の検出値に基づき、後述するような演算、制御を行って、前記ＥＧＲ弁１０１を含むＥＧＲシステムの故障の有無を診断するものである。５は該ＥＧＲ故障診断装置１０に接続された表示装置で、該ＥＧＲ故障診断装置１０におけるＥＧＲシステムの故障判定結果を表示するものである。
【００２２】
次に、図２に基づきかかる故障診断装置付きＥＧＲシステムを備えたエンジンの動作を説明する。前記下流側温度センサ１及び上流側温度センサ２からのＥＧＲガス温度の検出値、並びに前記吸気温度センサ６からの吸気温度の検出値は前記ＥＧＲ故障診断装置１０の温度比較部１１に入力される。また、前記ＥＧＲ弁開度センサ４からのＥＧＲ弁１０１の開閉タイミングの検出値も前記温度比較部１１に入力される。一方、前記回転検出器３からのエンジン回転数の検出値及びアクセル開度検出器７からのアクセル開度の検出値は前記ＥＧＲ故障診断装置１０の温度設定部１２に入力される。
【００２３】
ここで、図３の（Ａ）は前記ＥＧＲ弁１０１の開弁、閉弁の時間変化を示している。また、図３の（Ｂ）及び（Ｃ）は、前記ＥＧＲ弁１０１の開弁、閉弁に伴う下流側温度センサ１設置部近傍と前記ＥＧＲ弁１０１の直下流部位とのＥＧＲガス温度の時間変化の比較を示している。また、図３の（Ｄ）は吸気温度Ｔｓの時間変化を示している。
前記温度設定部１２においては、ＥＧＲ弁１０１の閉弁後（図３の（Ａ））において、ＥＧＲガスの温度Ｔ１及び該温度Ｔ１からΔＴ低下後の温度Ｔ２（図３の（Ｂ））と前記吸気温度Ｔｓとの温度差ΔＴｓの、ＥＧＲシステムが故障していると判断される基準値（目標値）ΔＴｓ０、つまりＥＧＲ弁１０１の閉弁後にＥＧＲガス温度Ｔの低下が小さく該ＥＧＲガス温度Ｔと吸気温度Ｔｓとの温度差ΔＴｓが該基準値ΔＴｓ０よりも大きくなったとき、ＥＧＲシステムが故障していると判断される温度差（ΔＴｓ０）が、エンジン回転数に対応して設定されている。
【００２４】
また、前記温度設定部１２においては、ＥＧＲ弁１０１の開弁後において、ＥＧＲガスの温度Ｔ２及び該温度Ｔ２からΔＴ上昇後の温度Ｔ１と前記吸気温度Ｔｓとの温度差ΔＴｓの、ＥＧＲシステムが故障していると判断される基準値（目標値）ΔＴｓ０、つまりＥＧＲ弁１０１の開弁後にＥＧＲガス温度Ｔの上昇が小さく該ＥＧＲガス温度Ｔと吸気温度Ｔｓとの温度差ΔＴｓが該基準値ΔＴｓ０よりも小さくなったとき、ＥＧＲシステムが故障していると判断される温度差（ΔＴｓ０）が、エンジン回転数に対応して設定されている。
【００２５】
そして前記温度比較部１１においては、前記ＥＧＲ弁開度センサ４からのＥＧＲ弁１０１の閉弁信号発信後の、前記下流側温度センサ１からのＥＧＲガスの温度Ｔ１からΔＴ低下後の温度Ｔ２と前記吸気温度Ｔｓとの検出温度差ΔＴｓと前記温度設定部１２に設定されているＥＧＲシステムが故障していると判断される基準値（目標値）ΔＴｓ０とを比較し、その比較結果をＥＧＲ故障判定部１３に入力する。
ＥＧＲ故障判定部１３においては、前記ＥＧＲ弁１０１閉弁後の温度降下が小さく、前記検出温度差ΔＴｓが前記基準値（目標値）ΔＴｓ０よりも大きくなっているとき（ΔＴｓ＞ΔＴｓ０）、ＥＧＲ弁１０１を含むＥＧＲシステムに故障が発生しているものと判定して、その判定結果を前記表示装置５に出力する。該表示装置５は、前記ＥＧＲ故障診断装置１０におけるＥＧＲシステムの故障判定結果を表示する。
尚、前記ＥＧＲガス温度及び吸気温度の検出値による前記検出温度差ΔＴｓが前記基準値（目標値）ΔＴｓ０よりも小さくなっているとき（ΔＴｓ≦ΔＴｓ０）、前記ＥＧＲシステムは故障を発生することなく順調に運転されているものと判定する。
【００２６】
また、次の動作により、ＥＧＲシステムの故障発生の有無の判定を行うこともできる。
即ち、前記温度比較部１１においては、前記ＥＧＲ弁１０１の開弁信号発信後の、前記下流側温度センサ１からのＥＧＲガス温度の検出値における温度上昇ΔＴ後の最高温度Ｔ１と前記吸気温度Ｔｓとの最高検出温度差ΔＴｓ１と前記温度設定部１２に設定されている最高検出温度差の基準値（目標値）ΔＴｓ１０とを比較し、その比較結果をＥＧＲ故障判定部１３に入力する。
ＥＧＲ故障判定部１３においては、前記最高検出温度差ΔＴｓ１が前記基準値（目標値）ΔＴｓ１０よりも小さくなっているとき（ΔＴｓ１０＞ΔＴｓ１）、ＥＧＲ弁１０１を含むＥＧＲシステムに故障が発生しているものと判定して、その判定結果を前記表示装置５に出力する。該表示装置５は、前記ＥＧＲ故障診断装置１０におけるＥＧＲシステムの故障判定結果を表示する。
尚、前記最高検出温度差ΔＴｓ１が前記基準値（目標値）ΔＴｓ１０よりも上昇しているとき（ΔＴｓ１０≦ΔＴｓ１）、前記ＥＧＲシステムは故障を発生することなく順調に運転されているものと判定する。  
以上のような、ＥＧＲ故障診断装置１０による演算、制御により、ＥＧＲ弁１０１を含むＥＧＲシステムの故障を正確に検知することができる。
【００２７】
かかる実施例によれば、ＥＧＲ弁１０１の閉弁により、ＥＧＲ通路１０２におけるＥＧＲ弁１０１とＥＧＲ通路１０２の吸気通路１０５への合流部１０６との間におけるＥＧＲガスの温度が低下する過程で、前記合流部１０６近傍のＥＧＲ通路１０２内におけるＥＧＲガスが吸気通路を流れる低温の吸気によって冷却されることから、該合流部１０６近傍のＥＧＲ通路の温度低下量が大きくなり、かかる部位に下流側温度センサ１あるいは上流側温度センサ２を設置してＥＧＲ弁の挙動に正確に追従したＥＧＲガス温度を検出し、ＥＧＲ故障診断装置において、前記のようにＥＧＲ弁１０１の挙動に正確に追従したＥＧＲガス温度の検出値と吸気温度の検出値との温度差を用いてＥＧＲシステムの故障の有無を判定するので、吸気温度の変動があっても、これの影響を受けることなくＥＧＲガス温度の変動のみを明確に検出可能となる。
従って実施例によれば、前記温度差を用いて、ＥＧＲ弁１０１を含むＥＧＲシステムの故障の有無を診断することにより、ＥＧＲシステムの故障を正確かつ迅速に検知することができる。
【００２８】
さらに、かかる実施例によれば、前記のように、ＥＧＲ弁１０１の開弁時においても、下流側あるいは上流側温度センサ１、２の検出値を用いて、前記ＥＧＲ弁１０１の開弁信号発信後における温度上昇ΔＴ後の最高温度Ｔ１と前記吸気温度Ｔｓとの最高検出温度差ΔＴｓ１と最高検出温度差の基準値（目標値）ΔＴｓ１０とを比較し、前記最高検出温度差ΔＴｓ１が前記基準値ΔＴｓ１０よりも低くなったことを検知することにより、前記ＥＧＲシステムの故障を判定することもできる。
従ってかかる実施例によれば、ＥＧＲ弁１０１の閉弁時及び開弁時の双方において、ＥＧＲシステムの故障を迅速かつ正確に検知することが可能となる。  
【産業上の利用可能性】
【００２９】
本発明によれば、ＥＧＲ弁の閉弁時及び開弁時の双方においてＥＧＲ弁を含むＥＧＲシステムの挙動に正確に連動し、高精度で以ってＥＧＲガス温度を検出可能として、ＥＧＲシステムの故障を正確かつ迅速に検知し得るＥＧＲシステムを備えたエンジンを提供できる。
【図面の簡単な説明】
【００３０】
【図１】本発明の実施例に係る故障診断装置付きＥＧＲシステムを備えたエンジンの全体構成図である。
【図２】前記実施例における制御ブロックである。
【図３】前記実施例におけるＥＧＲシステムの故障診断作用説明用の線図である。
【符号の説明】
【００３１】
１  下流側温度センサ
２  上流側温度センサ
３  回転検出器
４  ＥＧＲ弁開度センサ
５  表示装置
６  吸気温度センサ
７  アクセル開度検出器
１０  ＥＧＲ故障診断装置
１００  エンジン
１０１  ＥＧＲ弁
１０２  ＥＧＲ通路
１０３  ＥＧＲクーラ
１０４  排気通路
１０５  吸気通路
１０６  合流部
【図１】
2005291056.tif 000003
【図２】
2005291056.tif 000004
【図３】
2005291056.tif 000005